(57)【要約】【課題】ケアマネージャ等の作業負担を低減すると共に、ケアマネージャ等からサービス提供事業者に書面を送付する際の誤送信を防ぐ。【解決手段】ケアマネージャ等が使用する居宅介護支援事業者端末は、サービス提供票等のＰＤＦファイル（提供票データ）を、その送付先となるサービス提供事業者毎に自動仕分けし（Ｓ１１０）、提供票データとその送付先となるサービス提供事業者の事業者番号をデータセンタにアップロードする（Ｓ１３５）。そして、データセンタは、サービス提供事業者が使用するサービス提供事業者端末からの要求に応じて、該サービス提供事業者の事業者番号と共に受信した提供票データを、該サービス提供事業者端末にダウンロードする。【選択図】図５
2015130108.tif 000002
【特許請求の範囲】
【請求項１】
介護サービスを提供するサービス提供事業者により使用されるサービス提供事業者端末と、介護サービス利用者の支援を行う居宅介護支援事業者により使用される居宅介護支援事業者端末と、前記サービス提供事業者端末及び前記居宅介護支援事業者端末と通信可能なサーバとから構成されるデータ転送システムであって、
前記居宅介護支援事業者端末は、
前記サービス提供事業者に対し、該サービス提供事業者が行う介護サービスに関する情報を提供する提供書面を表示するデータであって、該提供書面を作成するアプリケーションの種類に依存することなく前記サービス提供事業者端末及び前記居宅介護支援事業者端末で読み取り可能な形式を有する提供書面データから、該サービス提供事業者の識別情報を認識する居宅介護支援事業者側認識手段と、
前記識別情報、及び、該識別情報が認識された前記提供書面データを、前記サーバに送信する居宅介護支援事業者側送信手段と、を備え、
前記サーバは、
前記居宅介護支援事業者端末から、前記識別情報、及び、該識別情報が認識された前記提供書面データを受信し、該提供書面データを該識別情報に対応付けて記憶するサーバ側記憶手段と、
前記サーバ側記憶手段により記憶された前記提供書面データから認識された前記識別情報に係る前記サービス提供事業者に、該サービス提供事業者が取得すべき前記提供書面データが存在する旨を通知するサーバ側通知手段と、
前記サーバ側記憶手段により記憶された前記提供書面データを、該提供書面データから認識された前記識別情報に係る前記サービス提供事業者が使用している前記サービス提供事業者端末に送信するサーバ側送信手段と、を備え、
前記サービス提供事業者端末は、前記サーバから、自装置を使用している前記サービス提供事業者の前記識別情報が認識された前記提供書面データを受信する介護者側受信手段を備えること、
を特徴とするデータ転送システム。
【請求項２】
請求項１に記載のデータ転送システムにおいて、
前記居宅介護支援事業者端末は、
前記サービス提供事業者に対するメッセージであるサービス提供事業者宛メッセージの入力を受け付ける居宅介護支援事業者側受付手段と、
前記サーバから、前記サービス提供事業者から自装置を使用している前記居宅介護支援事業者に対するメッセージである居宅介護支援事業者宛メッセージを受信し、該居宅介護支援事業者宛メッセージを報知する居宅介護支援事業者側報知手段と、をさらに備え、
前記居宅介護支援事業者側送信手段は、さらに、前記サービス提供事業者宛メッセージを前記サーバに送信し、
前記サービス提供事業者端末は、
前記居宅介護支援事業者宛メッセージの入力を受け付けるサービス提供事業者側受付手段と、
前記居宅介護支援事業者宛メッセージを前記サーバに送信するサービス提供事業者側送信手段と、
前記サーバから、自装置を使用している前記サービス提供事業者に対する前記サービス提供事業者宛メッセージを受信し、該サービス提供事業者宛メッセージを報知するサービス提供事業者側報知手段と、をさらに備え、
前記サーバ側記憶手段は、前記居宅介護支援事業者端末から受信した前記サービス提供事業者宛メッセージを、該サービス提供事業者宛メッセージに係る前記サービス提供事業者の前記識別情報と対応付けて記憶すると共に、前記サービス提供事業者端末から受信した前記居宅介護支援事業者宛メッセージを、該サービス提供事業者端末を使用している前記サービス提供事業者の前記識別情報と対応付けて記憶し、
前記サーバ側送信手段は、前記識別情報に対応付けて記憶されている前記サービス提供事業者宛メッセージを、該識別情報に係る前記サービス提供事業者が使用している前記サービス提供事業者端末に送信すると共に、前記識別情報に対応付けて記憶されている前記居宅介護支援事業者宛メッセージを、該居宅介護支援事業者宛メッセージに係る前記居宅介護支援事業者が使用している前記居宅介護支援事業者端末に送信すること、
を特徴とするデータ転送システム。
【請求項３】
請求項１又は請求項２に記載のデータ転送システムにおいて、
前記居宅介護支援事業者端末は、
前記提供書面の作成に用いられた前記アプリケーションの種類と、それぞれの種類の前記アプリケーションにより作成された前記提供書面における前記識別情報の記載位置とを対応付けて記憶している位置情報を記憶している居宅介護支援事業者側記憶手段と、
前記居宅介護支援事業者側認識手段による前記識別情報の認識がなされる前記提供書面データに係る前記提供書面の作成に用いられた前記アプリケーションの種類を判別する居宅介護支援事業者側判別手段と、をさらに備え、
前記居宅介護支援事業者側認識手段は、前記提供書面データに係る前記提供書面の作成に用いられた前記アプリケーションの種類と、前記位置情報とに基づき、該提供書面における前記記載位置を把握し、該記載位置に基づき、該提供書面データから前記識別情報を認識すること、
を特徴とするデータ転送システム。
【請求項４】
請求項１から請求項３のうちのいずれか１項に記載のデータ転送システムにおいて、
前記居宅介護支援事業者端末は、前記提供書面データから前記識別情報の認識がなされると、該識別情報を含むファイル名が付された該提供書面データを生成する居宅介護支援事業者側生成手段をさらに備えること、
を特徴とするデータ転送システム。
【請求項５】
介護サービスを提供するサービス提供事業者を支援する居宅介護支援事業者により使用される端末であって、サーバを介して前記サービス提供事業者により使用されるサービス提供事業者端末と通信を行う居宅介護支援事業者端末であって、
前記サービス提供事業者に対し、該サービス提供事業者が行う介護サービスに関する情報を提供する提供書面を表示するデータであって、該提供書面を作成するアプリケーションの種類に依存することなく前記サービス提供事業者端末及び前記居宅介護支援事業者端末で読み取り可能な形式を有する提供書面データから、該サービス提供事業者の識別情報を認識する居宅介護支援事業者側認識手段と、
前記識別情報、及び、該識別情報が認識された前記提供書面データを、前記サーバに送信する居宅介護支援事業者側送信手段と、
を備えることを特徴とする居宅介護支援事業者端末。
【請求項６】
介護サービスを提供するサービス提供事業者により使用されるサービス提供事業者端末、及び、前記サービス提供事業者の支援を行う居宅介護支援事業者により使用される居宅介護支援事業者端末と通信可能なサーバであって、
前記居宅介護支援事業者端末から、前記サービス提供事業者が行う介護サービスに関する情報を提供する提供書面を表示するデータであって、該提供書面を作成するアプリケーションの種類に依存することなく前記サービス提供事業者端末及び前記居宅介護支援事業者端末で読み取り可能な形式を有する提供書面データと、該居宅介護支援事業者端末により該提供書面データから認識された識別情報とを受信し、該提供書面データを該識別情報に対応付けて記憶するサーバ側記憶手段と、
前記サーバ側記憶手段により記憶された前記提供書面データから認識された前記識別情報に係る前記サービス提供事業者に、該サービス提供事業者が取得すべき前記提供書面データが存在する旨を通知するサーバ側通知手段と、
前記サーバ側記憶手段により記憶された前記提供書面データを、該提供書面データから認識された前記識別情報に係る前記サービス提供事業者が使用している前記サービス提供事業者端末に送信するサーバ側送信手段と、
を備えることを特徴とするサーバ。
【請求項７】
介護サービスを提供するサービス提供事業者により使用される端末であって、サーバを介して前記サービス提供事業者の支援を行う居宅介護支援事業者により使用される居宅介護支援事業者端末と通信を行うサービス提供事業者端末であって、
前記サービス提供事業者が行う介護サービスに関する情報を提供する提供書面を表示するデータであって、該提供書面を作成するアプリケーションの種類に依存することなく前記サービス提供事業者端末及び前記居宅介護支援事業者端末で読み取り可能な形式を有する提供書面データであって、前記居宅介護支援事業者端末により該提供書面データから自装置を使用する前記サービス提供事業者の識別情報が認識されたものを受信する介護者側受信手段を備えること、
を特徴とするサービス提供事業者端末。
【請求項８】
介護サービスを提供するサービス提供事業者を支援する居宅介護支援事業者により使用される端末であって、サーバを介して前記サービス提供事業者により使用されるサービス提供事業者端末と通信を行う居宅介護支援事業者端末としてコンピュータを動作させる居宅介護支援事業者用データ転送プログラムであって、
前記サービス提供事業者に対し、該サービス提供事業者が行う介護サービスに関する情報を提供する提供書面を表示するデータであって、該提供書面を作成するアプリケーションの種類に依存することなく前記サービス提供事業者端末及び前記居宅介護支援事業者端末で読み取り可能な形式を有する提供書面データから、該サービス提供事業者の識別情報を認識する居宅介護支援事業者側認識手段と、
前記識別情報、及び、該識別情報が認識された前記提供書面データを、前記サーバに送信する居宅介護支援事業者側送信手段と、
としてコンピュータを動作させることを特徴とする居宅介護支援事業者用データ転送プログラム。
【請求項９】
介護サービスを提供するサービス提供事業者により使用されるサービス提供事業者端末、及び、前記サービス提供事業者の支援を行う居宅介護支援事業者により使用される居宅介護支援事業者端末と通信可能なサーバとしてコンピュータを動作させるサーバ用データ転送プログラムであって、
前記居宅介護支援事業者端末から、前記サービス提供事業者が行う介護サービスに関する情報を提供する提供書面を表示するデータであって、該提供書面を作成するアプリケーションの種類に依存することなく前記サービス提供事業者端末及び前記居宅介護支援事業者端末で読み取り可能な形式を有する提供書面データと、該居宅介護支援事業者端末により該提供書面データから認識された識別情報とを受信し、該提供書面データを該識別情報に対応付けて記憶するサーバ側記憶手段と、
前記サーバ側記憶手段により記憶された前記提供書面データから認識された前記識別情報に係る前記サービス提供事業者に、該サービス提供事業者が取得すべき前記提供書面データが存在する旨を通知するサーバ側通知手段と、
前記サーバ側記憶手段により記憶された前記提供書面データを、該提供書面データから認識された前記識別情報に係る前記サービス提供事業者が使用している前記サービス提供事業者端末に送信するサーバ側送信手段と、
としてコンピュータを動作させることを特徴とするサーバ用データ転送プログラム。
【請求項１０】
介護サービスを提供するサービス提供事業者により使用される端末であって、サーバを介して前記サービス提供事業者の支援を行う居宅介護支援事業者により使用される居宅介護支援事業者端末と通信を行うサービス提供事業者端末としてコンピュータを動作させるサービス提供事業者用データ転送プログラムであって、
前記サービス提供事業者が行う介護サービスに関する情報を提供する提供書面を表示するデータであって、該提供書面を作成するアプリケーションの種類に依存することなく前記サービス提供事業者端末及び前記居宅介護支援事業者端末で読み取り可能な形式を有する提供書面データであって、前記居宅介護支援事業者端末により該提供書面データから自装置を使用する前記サービス提供事業者の識別情報が認識されたものを受信する介護者側受信手段を備えること、
としてコンピュータを動作させることを特徴とするサービス提供事業者用データ転送プログラム。
【請求項１１】
介護サービスを提供するサービス提供事業者により使用されるサービス提供事業者端末と、介護サービス利用者の支援を行う居宅介護支援事業者により使用される居宅介護支援事業者端末と、前記サービス提供事業者端末及び前記居宅介護支援事業者端末と通信可能なサーバとから構成されるデータ転送システムであって、
前記居宅介護支援事業者端末は、
前記サービス提供事業者に対し、該サービス提供事業者が行う介護サービスに関する情報を提供する提供書面を表示するデータであって、該提供書面を作成するアプリケーションの種類に依存することなく前記サービス提供事業者端末及び前記居宅介護支援事業者端末で読み取り可能な形式を有する提供書面データを、前記サーバに送信する居宅介護支援事業者側送信手段を備え、
前記サーバは、
前記居宅介護支援事業者端末から受信した前記提供書面データから、該提供書面データにより表示される前記提供書面により介護サービスに関する情報が提供される前記サービス提供事業者の識別情報を認識するサーバ側認識手段と、
前記提供書面データと、該提供書面データから認識された前記識別情報とを対応付けて記憶するサーバ側記憶手段と、
前記サーバ側記憶手段により記憶された前記提供書面データから認識された前記識別情報に係る前記サービス提供事業者に、該サービス提供事業者が取得すべき前記提供書面データが存在する旨を通知するサーバ側通知手段と、
前記サーバ側記憶手段により記憶された前記提供書面データを、該提供書面データから認識された前記識別情報に係る前記サービス提供事業者が使用している前記サービス提供事業者端末に送信するサーバ側送信手段と、を備え、
前記サービス提供事業者端末は、前記サーバから、自装置を使用している前記サービス提供事業者の前記識別情報が認識された前記提供書面データを受信する介護者側受信手段を備えること、
を特徴とするデータ転送システム。
【発明の詳細な説明】
【技術分野】
【０００１】
本発明は、介護サービスに関する情報が記載された書面を転送するためのデータ転送システム等に関する。
【背景技術】
【０００２】
居宅介護支援事業者におけるケアマネージャは、介護保険制度の適用を受けるため、毎月、介護サービス計画に基づきサービス提供票及びサービス提供票別表を作成してサービス提供事業者に送付する。そして、サービス事業者は、毎月、居宅介護支援事業者からサービス提供票等を受け取り、その内容に従い介護サービスを行うと共に、サービス提供票等に実績を記入して居宅介護支援事業者に送付する。
【０００３】
ここで、一般的に、サービス提供票等はパソコンにより作成されるが、サービス提供票等を作成するアプリケーション（介護アプリ）には非常に多くの種類があり、居宅介護支援事業者とサービス事業者とは、異なる種類の介護アプリを使用している可能性が高い。
【０００４】
このため、居宅介護支援事業者とサービス事業者との間で、介護アプリで作成されたサービス提供票等のファイルの受け渡しを行うのは困難であり、サービス提供票等は、紙に印刷され、ＦＡＸや郵送により受け渡しされていた。
【０００５】
一方、介護サービスの利用者は５００万以上にも上り、各利用者は平均して３事業者程度のサービス提供事業者から介護サービスを受けていると共に、各ケアマネージャは、一般的に２０〜３０名程度の介護サービス利用者についてのケアプランを作成している。
【０００６】
このため、ケアマネージャは、毎月、非常に多くのサービス提供票等を作成してＦＡＸや郵送により送付する必要があり、非常に大きな作業負担が生じている。また、サービス提供票等の誤送信により、介護サービスの利用者の氏名や、生年月日や、介護サービスの内容等が他人に知られてしまう事案が多発しており、利用者のプライバシー保護の観点から問題となっていた。
【０００７】
これに対し、特許文献１には、居宅介護支援事業者の端末からサービス提供事業者の端末に対し、サーバを経由してサービス提供票等のファイルを送信するシステムが記載されている。
【先行技術文献】
【特許文献】
【０００８】
【特許文献１】特開２００１−３３８０６５号公報
【発明の概要】
【発明が解決しようとする課題】
【０００９】
しかしながら、特許文献１のシステムを用いるとしても、ケアマネージャは、サービス提供票等のファイルをサービス提供事業者毎に仕分けする作業や、端末上で送付先となるサービス提供事業者等を設定する作業を行う必要がある。このため、依然としてケアマネージャの作業負担は大きく、サービス提供票等の誤送信が生じる危険性は高い。
【００１０】
本願発明は上記課題に鑑みてなされたものであり、ケアマネージャ等の作業負担を低減すると共に、ケアマネージャ等からサービス提供事業者に書面を送付する際の誤送信を防ぐことを目的とする。
【課題を解決するための手段】
【００１１】
上記課題に鑑みてなされた請求項１に係る発明は、介護サービスを提供するサービス提供事業者により使用されるサービス提供事業者端末と、介護サービス利用者の支援を行う居宅介護支援事業者により使用される居宅介護支援事業者端末と、サービス提供事業者端末及び居宅介護支援事業者端末と通信可能なサーバとから構成されるデータ転送システムであって、居宅介護支援事業者端末は、サービス提供事業者に対し、該サービス提供事業者が行う介護サービスに関する情報を提供する（具体的な介護サービス実施方法等を記した）提供書面を表示するデータであって、該提供書面を作成するアプリケーションの種類に依存することなくサービス提供事業者端末及び居宅介護支援事業者端末で読み取り可能な形式を有する提供書面データから、該サービス提供事業者の識別情報を認識する居宅介護支援事業者側認識手段と、識別情報、及び、該識別情報が認識された提供書面データを、サーバに送信する居宅介護支援事業者側送信手段と、を備え、サーバは、居宅介護支援事業者端末から、識別情報、及び、該識別情報が認識された提供書面データを受信し、該提供書面データを該識別情報に対応付けて記憶するサーバ側記憶手段と、サーバ側記憶手段により記憶された提供書面データから認識された識別情報に係るサービス提供事業者に、該サービス提供事業者が取得すべき提供書面データが存在する旨を通知するサーバ側通知手段と、サーバ側記憶手段により記憶された提供書面データを、該提供書面データから認識された識別情報に係るサービス提供事業者が使用しているサービス提供事業者端末に送信するサーバ側送信手段と、を備え、サービス提供事業者端末は、サーバから、自装置を使用しているサービス提供事業者の識別情報が認識された提供書面データを受信する介護者側受信手段を備えること、を特徴とする。
【００１２】
このような構成によれば、居宅介護支援事業者端末では、提供書面を作成する介護アプリの種類に関わらずサービス提供事業者端末及び居宅介護支援事業者端末で読み取り可能な提供書面データから、その送付先となるサービス提供事業者の識別情報が認識され、提供書面データは、認識された識別情報と共にサーバに送信される。
【００１３】
そして、サーバでは、居宅介護支援事業者端末から受信した提供書面データと識別情報とが対応付けて記憶されると共に、記憶された提供書面データは、該提供書面データから認識された識別情報に対応するサービス提供事業者が使用するサービス提供事業者端末に送信される。
【００１４】
このため、サービス提供票等といった提供書面を、サービス提供事業者毎に仕分けする作業や、郵送やＦＡＸによりサービス提供事業者に提供書面を送付する作業が不要となる。
【００１５】
また、提供書面データから送付先となるサービス提供事業者の識別情報が認識され、該識別情報に基づき送付先となるサービス提供事業者が決定されるため、居宅介護支援事業者が提供票の送付先を設定する作業が不要となる。
【００１６】
したがって、ケアマネージャ等の作業負担を低減すると共に、ケアマネージャ等からサービス提供事業者に書面を送付する際の誤送信を防ぐことができる。
なお、請求項２に記載されているように、居宅介護支援事業者端末は、サービス提供事業者に対するメッセージであるサービス提供事業者宛メッセージの入力を受け付ける居宅介護支援事業者側受付手段と、サーバから、サービス提供事業者から自装置を使用している居宅介護支援事業者に対するメッセージである居宅介護支援事業者宛メッセージを受信し、該居宅介護支援事業者宛メッセージを報知する居宅介護支援事業者側報知手段と、をさらに備え、居宅介護支援事業者側送信手段は、さらに、サービス提供事業者宛メッセージをサーバに送信し、サービス提供事業者端末は、居宅介護支援事業者宛メッセージの入力を受け付けるサービス提供事業者側受付手段と、居宅介護支援事業者宛メッセージをサーバに送信するサービス提供事業者側送信手段と、サーバから、自装置を使用しているサービス提供事業者に対するサービス提供事業者宛メッセージを受信し、該サービス提供事業者宛メッセージを報知するサービス提供事業者側報知手段と、をさらに備え、サーバ側記憶手段は、居宅介護支援事業者端末から受信したサービス提供事業者宛メッセージを、該サービス提供事業者宛メッセージに係るサービス提供事業者の識別情報と対応付けて記憶すると共に、サービス提供事業者端末から受信した居宅介護支援事業者宛メッセージを、該サービス提供事業者端末を使用しているサービス提供事業者の識別情報と対応付けて記憶し、サーバ側送信手段は、識別情報に対応付けて記憶されているサービス提供事業者宛メッセージを、該識別情報に係るサービス提供事業者が使用しているサービス提供事業者端末に送信すると共に、識別情報に対応付けて記憶されている居宅介護支援事業者宛メッセージを、該居宅介護支援事業者宛メッセージに係る居宅介護支援事業者が使用している居宅介護支援事業者端末に送信すること、を特徴としても良い。
【００１７】
このような構成によれば、サーバを経由して居宅介護支援事業者からサービス提供事業者に提供書面データを送付する際や、サービス提供事業者が居宅介護支援事業者からの提供書面データを受け取る際に、居宅介護支援事業者とサービス提供事業者との間で伝言メッセージをやり取りすることができる。このため、利便性を向上させることができ、業務を円滑に進行させることが可能となる。
【００１８】
また、一例として、提供書面データとしてＰＤＦ形式のデータを用いることが考えられるが、上述したように、提供書面を作成する介護アプリには非常に多くの種類がある。
このため、介護アプリにより作成された提供正面のファイルからＰＤＦファイルを生成すると、その種類によって該ＰＤＦファイルにより表示される提供書面におけるサービス提供事業者の識別情報の位置が異なる場合がある。
【００１９】
仮に、提供正面のフォーマットが予め定められており、識別番号の記載欄が予め決まっているとしても、介護アプリの種類によっては、該記載欄の枠内で識別情報の記載位置が若干ずれる恐れがある。
【００２０】
そして、その結果、提供書面データから識別情報を認識する際の精度が低下する恐れがある。
そこで、請求項３に係るデータ転送システムにおいては、居宅介護支援事業者端末は、提供書面の作成に用いられたアプリケーションの種類と、それぞれの種類のアプリケーションにより作成された提供書面における識別情報の記載位置とを対応付けて記憶している位置情報を記憶している居宅介護支援事業者側記憶手段と、居宅介護支援事業者側認識手段による識別情報の認識がなされる提供書面データに係る提供書面の作成に用いられたアプリケーションの種類を判別する居宅介護支援事業者側判別手段と、をさらに備え、居宅介護支援事業者側認識手段は、提供書面データに係る提供書面の作成に用いられたアプリケーションの種類と、位置情報とに基づき、該提供書面における記載位置を把握し、該記載位置に基づき、該提供書面データから識別情報を認識する。
【００２１】
このような構成によれば、提供書面データにより表示される提供書面におけるサービス提供事業者の識別番号の表示位置を正確に把握することができ、使用された介護アプリの種類に関わらず、高い精度で識別情報を認識することができる。
【００２２】
また、請求項４に記載されているように、居宅介護支援事業者端末は、提供書面データから識別情報の認識がなされると、該識別情報を含むファイル名が付された該提供書面データを生成する居宅介護支援事業者側生成手段をさらに備えても良い。
【００２３】
このような構成によれば、提供書面データのファイル名により、サービス提供事業者の識別情報の認識結果を把握することができ、認識結果が正しいかどうかの判断を容易に行うことができる。
【００２４】
なお、請求項１に記載のデータ転送システムを構成する居宅介護支援事業者端末，サーバ，サービス提供事業者端末を、単独で構成して市場に流通させても良い（請求項５〜７）。
【００２５】
このような場合であっても、対応する居宅介護支援事業者端末，サーバ，サービス提供事業者端末と組み合わせて使用することで、ケアマネージャ等の作業負担を低減すると共に、ケアマネージャ等からサービス提供事業者に書面を送付する際の誤送信を防ぐことができる。
【００２６】
また、居宅介護支援事業者端末，サーバ，サービス提供事業者端末に係る発明は、種々の形態で実現することができる。このような形態の具体例としては、当該居宅介護支援事業者端末，当該サーバ，当該サービス提供事業者端末としてコンピュータを動作させることができる居宅介護支援事業者用データ転送プログラム，サーバ用データ転送プログラム，サービス提供事業者用データ転送プログラム等が考えられる（請求項８〜１０）。
【００２７】
また、次のようなデータ転送システムを構成しても良い。
すなわち、請求項１１に記載されているように、介護サービスを提供するサービス提供事業者により使用されるサービス提供事業者端末と、介護サービス利用者の支援を行う居宅介護支援事業者により使用される居宅介護支援事業者端末と、サービス提供事業者端末及び居宅介護支援事業者端末と通信可能なサーバとから構成されるデータ転送システムであって、居宅介護支援事業者端末は、サービス提供事業者に対し、該サービス提供事業者が行う介護サービスに関する情報を提供する（具体的な介護サービス実施方法等を記した）提供書面を表示するデータであって、該提供書面を作成するアプリケーションの種類に依存することなくサービス提供事業者端末及び居宅介護支援事業者端末で読み取り可能な形式を有する提供書面データを、サーバに送信する居宅介護支援事業者側送信手段を備え、サーバは、居宅介護支援事業者端末から受信した提供書面データから、該提供書面データにより表示される提供書面により介護サービスに関する情報が提供されるサービス提供事業者の識別情報を認識するサーバ側認識手段と、提供書面データと、該提供書面データから認識された識別情報とを対応付けて記憶するサーバ側記憶手段と、サーバ側記憶手段により記憶された提供書面データから認識された識別情報に係るサービス提供事業者に、該サービス提供事業者が取得すべき提供書面データが存在する旨を通知するサーバ側通知手段と、サーバ側記憶手段により記憶された提供書面データを、該提供書面データから認識された識別情報に係るサービス提供事業者が使用しているサービス提供事業者端末に送信するサーバ側送信手段と、を備え、サービス提供事業者端末は、サーバから、自装置を使用しているサービス提供事業者の識別情報が認識された提供書面データを受信する介護者側受信手段を備えること、を特徴としても良い。
【００２８】
このような構成によれば、居宅介護支援事業者端末からサーバに対し、介護アプリの種類に関わらずサービス提供事業者端末及び居宅介護支援事業者端末で読み取り可能な提供書面データが送信される。
【００２９】
また、サーバでは、居宅介護支援事業者端末から受信した提供書面データから、その送付先となるサービス提供事業者の識別情報が認識され、提供書面データは、認識された識別情報と対応付けて記憶される。そして、記憶された提供書面データは、該提供書面データから認識された識別情報に対応するサービス提供事業者が使用するサービス提供事業者端末に送信される。
【００３０】
このため、サービス提供票等といった提供書面を、サービス提供事業者毎に仕分けする作業や、郵送やＦＡＸによりサービス提供事業者に提供書面を送付する作業が不要となる。
【００３１】
また、提供書面データから送付先となるサービス提供事業者の識別情報が認識され、該識別情報に基づき送付先となるサービス提供事業者が決定されるため、居宅介護支援事業者が提供票の送付先を設定する作業が不要となる。
【００３２】
したがって、ケアマネージャ等の作業負担を低減すると共に、ケアマネージャ等からサービス提供事業者に書面を送付する際の誤送信を防ぐことができる。
【図面の簡単な説明】
【００３３】
【図１】第１実施形態のデータ転送システムの構成を示すブロック図である。
【図２】第１実施形態の居宅介護支援事業者端末の構成を示すブロック図である。
【図３】第１実施形態のサービス提供事業者端末の構成を示すブロック図である。
【図４】第１実施形態のデータセンタの構成を示すブロック図である。
【図５】第１実施形態の提供票データ送信処理のフローチャートである。
【図６】第１実施形態の自動仕分け処理により生成されたフォルダ等をファイル管理ツールで参照した様子や、自動仕分け処理等により提供票データに付されるファイル名についての説明図である。
【図７】第１実施形態の自動仕分け処理のフローチャートである。
【図８】第１実施形態の仕分け結果画面の説明図である。
【図９】第１実施形態のアップロード画面の説明図である。
【図１０】第１実施形態のアップロード処理のフローチャートである。
【図１１】第１実施形態の提供票データ受信処理のフローチャートである。
【図１２】第１実施形態のダウンロード画面の説明図である。
【図１３】第１実施形態のダウンロード処理のフローチャートである。
【図１４】第２実施形態の提供票データ送信処理のフローチャートである。
【図１５】第２実施形態のアップロード処理のフローチャートである。
【発明を実施するための形態】
【００３４】
以下、本発明の実施形態について図面を用いて説明する。なお、本発明の実施の形態は、下記の実施形態に何ら限定されることはなく、本発明の技術的範囲に属する限り種々の形態を採りうる。
【００３５】
［第１実施形態］
［構成の説明］
第１実施形態のデータ転送システム１は、１又は複数の居宅介護支援事業者端末１０と、１又は複数のサービス提供事業者端末２０と、データセンタ３０等から構成されており、これらは、インターネット４０に接続可能となっている（図１参照）。
【００３６】
居宅介護支援事業者端末１０は、パソコン等として構成されており、居宅介護支援事業者にてケアマネージャ等により使用される。居宅介護支援事業者端末１０は、通信部１１，記憶部１２，制御部１３，表示部１４，操作部１５等を備える（図２参照）。
【００３７】
通信部１１は、インターネット４０にアクセスするための部位であり、インターネット４０を介してデータセンタ３０と通信を行う。
また、記憶部１２は、ＨＤＤ等といった記憶保持動作が不要なデバイスから構成されている。
【００３８】
また、制御部１３は、ＣＰＵ，ＲＯＭ，ＲＡＭ，Ｉ／Ｏ及びこれらを接続するバスライン等からなる周知のマイクロコンピュータを中心に構成され、ＲＡＭにロードされたプログラム等に従い動作する。
【００３９】
また、表示部１４は、液晶ディスプレイ等として構成され、各種情報を表示する部位であり、操作部１５は、キーボードやマウス等として構成され、各種操作を受け付ける部位である。
【００４０】
居宅介護支援事業者端末１０には、ＣＤ−ＲＯＭ，ＵＳＢメモリ，メモリカード（登録商標）等の光ディスク，磁気ディスク，半導体製メモリ等として構成された記憶媒体１６に記憶された状態で提供される居宅介護支援事業者端末用アプリ（詳細は後述する）がインストールされている。無論、居宅介護支援事業者端末用アプリは、インターネット４０から提供されても良い。
【００４１】
また、居宅介護支援事業者端末１０には、介護サービスの内容が記載されるサービス提供票及びサービス提供票別表（以後、提供票等とも記載）を作成するアプリケーション（介護アプリ）がインストールされている。
【００４２】
また、居宅介護支援事業者端末１０には、介護アプリにより生成された提供票等のファイルからＰＤＦデータを生成するＰＤＦドライバがインストールされている。
そして、記憶部１２には、居宅介護支援事業者端末１０にインストールされた居宅介護支援事業者端末用アプリや、介護アプリや、ＰＤＦドライバとして動作するプログラムが記憶されている。
【００４３】
また、記憶部１２には、介護アプリの種類と、各種類の介護アプリを使用して作成された提供票等のファイルからＰＤＦファイルを生成した場合の、該ＰＤＦファイルにより表示される書面における所定の記載事項の位置情報とが対応付けて記憶されている位置情報ファイルが記憶されている。
【００４４】
なお、所定の記載事項とは、例えば、事業者番号，提供事業者氏名，介護サービスの提供年月，介護サービスの利用者の被保険者番号及び氏名（詳細は後述する）等であっても良い。
【００４５】
また、サービス提供事業者端末２０は、パソコン等として構成されており、介護サービスを提供するサービス提供事業者により使用される。サービス提供事業者端末２０は、通信部２１，記憶部２２，制御部２３，表示部２４，操作部２５等を備える（図３参照）。
【００４６】
なお、通信部２１，記憶部２２，制御部２３，表示部２４は、居宅介護支援事業者端末１０における通信部１１，記憶部１２，制御部１３，表示部１４と同様の構成を有している。
【００４７】
また、操作部２５は、キーボードやマウスやタッチパネル等として構成され、各種操作を受け付ける部位である。
サービス提供事業者端末２０には、ＣＤ−ＲＯＭ，ＵＳＢメモリ，メモリカード（登録商標）等の光ディスク，磁気ディスク，半導体製メモリ等として構成された記憶媒体２６に記憶された状態で提供されるサービス提供事業者端末用アプリ（詳細は後述する）がインストールされている。無論、サービス提供事業者端末用アプリは、インターネット４０から提供されても良い。
【００４８】
そして、記憶部２２には、サービス提供事業者端末２０にインストールされたサービス提供事業者端末用アプリとして動作するプログラムが記憶されている。
また、データセンタ３０は、パソコン等として構成されており、サーバとして機能する。データセンタ３０は、通信部３１，記憶部３２，制御部３３，表示部３４，操作部３５等を備える（図４参照）。
【００４９】
なお、記憶部３２，制御部３３，表示部３４，操作部３５は、居宅介護支援事業者端末１０における記憶部１２，制御部１３，表示部１４，操作部１５と同様の構成を有している。
【００５０】
また、通信部３１は、インターネット４０にアクセスするための部位であり、インターネット４０を介して居宅介護支援事業者端末１０やサービス提供事業者端末２０と通信を行う。
【００５１】
データセンタ３０には、ＣＤ−ＲＯＭ，ＵＳＢメモリ，メモリカード（登録商標）等の光ディスク，磁気ディスク，半導体製メモリ等として構成された記憶媒体３６に記憶された状態で提供されるデータセンタ用アプリ（詳細は後述する）がインストールされている。無論、データセンタ用アプリは、インターネット４０から提供されても良い。
【００５２】
そして、記憶部３２には、データセンタ３０にインストールされたデータセンタ用アプリとして動作するプログラムが記憶されていると共に、後述する提供票データ等を登録するためのデータベースが構築されている。
【００５３】
［動作の説明］
（１）概要について
次に、第１実施形態のデータ転送システム１の動作について説明する。
【００５４】
介護サービスを提供するサービス提供事業者（以後、提供事業者とも記載）は、介護保険制度の適用を受けるため、毎月、居宅介護支援事業者（以後、支援事業者とも記載）からサービス提供票及びサービス提供票別表を受け取り、これらの内容に従い介護サービスを行う必要がある。データ転送システム１は、支援事業者から提供事業者に対するサービス提供票、及び、サービス提供票別表の送付に用いられる。
【００５５】
サービス提供票及びサービス提供票別表（提供票等）には、介護サービスの提供を受ける利用者の被保険者番号及び氏名と、介護サービスの提供年月と、提供事業者の識別情報であるサービス提供事業者番号（以後、事業者番号とも記載）と、提供事業者名が記載されている。
【００５６】
提供票等は、支援事業者が有する居宅介護支援事業者端末１０にインストールされた介護アプリにより作成された後、ＰＤＦファイルに変換されて保存される。そして、提供票等のＰＤＦファイル（以後、提供票データとも記載）は、居宅介護支援事業者端末１０にて送付先の提供事業者毎に自動仕分けされ、データセンタ３０を介して送付先の提供事業者のサービス提供事業者端末２０に送信される。
【００５７】
提供票データの送付は、支援事業者、又は、支援事業者における居宅介護支援事業者端末１０のユーザ（ケアマネージャ等）のデータセンタ３０へのログインＩＤと、提供事業者の事業者番号とに対応して設けられた連絡ボックスを介して行われる。
【００５８】
以下では、データ転送システム１の動作について詳しく説明する。
（２）提供票データ送信処理について
居宅介護支援事業者端末１０にてデータセンタ３０への提供票データのアップロード等を行う提供票データ送信処理について、図５のフローチャートを用いて説明する。なお、本処理は、居宅介護支援事業者端末１０を使用するユーザ（居宅介護支援事業者端末ユーザ）の指示に応じて開始される。また、これ以降の説明では、居宅介護支援事業者端末用アプリ等のプログラムが処理を行うといった記載がなされているが、これは、当該プログラムに従い動作する制御部１３が当該処理を行うということを意味する。
【００５９】
Ｓ１００では、介護アプリは、操作部１５を介して受け付けた操作に応じて１又は複数の提供票等を作成し、作成した提供票等を、当該介護アプリに対応する形式のデータとして保存する。
【００６０】
Ｓ１０５では、ＰＤＦドライバは、介護アプリにより生成された提供票等のデータからＰＤＦファイル（提供票データ）を生成すると共に、提供票データを予め指定されたフォルダ（仕分け対象フォルダ）に保存する。
【００６１】
Ｓ１１０では、居宅介護支援事業者端末用アプリは、ユーザからの指示に応じて、提供票データを、送付先となる提供事業者毎に仕分けする自動仕分け処理を実行する。自動仕分け処理の詳細については、後述する。
【００６２】
図６（ａ）は、自動仕分け処理により生成されたフォルダ等を、ファイル管理ツールにより参照した際の様子を示す説明図である。
該説明図のように、自動仕分け処理により、“仕分けフォルダ”の直下に、提供票データに係る提供票等に記載された事業者番号が付されたフォルダ（“事業者番号Ａ”，“事業者番号Ｂ”，…）と、仕分けに失敗した提供票データが保存される“不明分”というフォルダが生成される。
【００６３】
そして、事業者番号が付された各フォルダには、自動仕分け処理によりその事業者番号が認識された提供票データが保存された状態となる。
また、自動仕分け処理では、予め定められた命名規則に従い、仕分け対象となった提供票データのリネームがなされる。図６（ｂ）は、リネームされた提供票データのファイル名の構造を示している。
【００６４】
リネーム後のファイル名における“承認フラグ”には、“０”または“１”が記載される。自動仕分け処理が実行された直後は、“承認フラグ”に“０”が記載され、後述する仕分け結果の確認がなされると、再度リネームがなされ、“承認フラグ”が“０”から“１”に変更される。
【００６５】
また、“介護サービスの提供年月”は、提供票データから認識された介護サービスの提供年月を示す。
また、“事業者番号”，“提供事業者名”は、提供票データから認識された提供事業者の事業者番号，名称である。
【００６６】
また、“被保険者番号”，“被保険者氏名”は、提供票データから認識された介護サービスの利用者の被保険者番号，氏名である。
なお、提供票データは、データセンタ３０へのアップロードが完了すると、再度リネームがなされ、ファイル名の先頭に“転送済＿”の文字が付される。
【００６７】
Ｓ１１５では、居宅介護支援事業者端末用アプリは、自動仕分け処理による仕分け結果を示す仕分け結果画面を表示し、居宅介護支援事業者端末ユーザに仕分け結果が正しいかどうかの確認を行わせる。なお、仕分け結果画面の詳細については、後述する。そして、該仕分け結果画面上で、後述する“アップロード（ログイン）”と表示されたボタンのクリック等がなされると、Ｓ１２０に処理が移行される。
【００６８】
Ｓ１２０では、居宅介護支援事業者端末用アプリは、データセンタ３０と通信を行い、データセンタ３０へのログイン処理を行う。
具体的には、居宅介護支援事業者端末用アプリは、操作部１５を介して居宅介護支援事業者端末ユーザのログインＩＤ及びパスワードの入力を受け付け、これらをデータセンタ３０に送信する。そして、データセンタ３０にてこれらに基づきユーザ認証が行われ、ユーザ認証に成功するとログイン成功となる。
【００６９】
Ｓ１２５では、居宅介護支援事業者端末用アプリは、Ｓ１２０にてログイン成功となった場合には（Ｓ１２５：Ｙｅｓ）、Ｓ１３０に処理を移行し、Ｓ１２０にてログイン失敗となった場合には（Ｓ１２５：Ｎｏ）、本処理を終了する。
【００７０】
Ｓ１３０では、居宅介護支援事業者端末用アプリは、データセンタ３０から受信した表示データに基づき、後述するアップロード画面を表示する。アップロード画面には、ログインしている居宅介護支援事業者端末ユーザと、該居宅介護支援事業者端末ユーザが過去に提供票データを送付した提供事業者との間の連絡ボックスが、１又は複数表示される。なお、複数の連絡ボックスが表示される場合には、連絡ボックスは、提供票データを送付した頻度の高い提供事業者のものから優先的に表示されても良い。
【００７１】
Ｓ１３５では、居宅介護支援事業者端末用アプリは、操作部１５を介して受け付けた操作に応じて、自動仕分けがなされた提供票データのうち、データセンタ３０へのアップロードがなされておらず、且つ、仕分け結果の承認がなされたものを、データセンタ３０にアップロードする。
【００７２】
具体的には、居宅介護支援事業者端末用アプリは、提供票データと、自動仕分け処理により該提供票データから認識された事業者番号，提供事業者名，提供年月，被保険者番号及び氏名等と、居宅介護支援事業者端末ユーザのログインＩＤをアップロードデータとする。そして、該アップロードデータを、例えばＳＳＬ通信等により暗号化された状態でデータセンタ３０に送信する。なお、送信が完了した提供票データには、ファイル名の先頭に“転送済＿”という文字が付される（図６（ｂ）参照）。
【００７３】
なお、データセンタ３０は、アップロードデータを受信すると、これをデータベースに登録する（換言すれば、アップロードデータを構成する各情報を、互いに対応付けた状態でデータベースに登録する）。
【００７４】
Ｓ１４０では、居宅介護支援事業者端末用アプリは、各提供事業者の連絡ボックスへの伝言メッセージの書き込みを受け付ける。具体的には、居宅介護支援事業者端末用アプリは、操作部１５を介して連絡ボックスの選択を受け付けると共に、選択された連絡ボックスへの伝言メッセージの入力を受け付ける。そして、選択された連絡ボックスに対応する事業者番号と、居宅介護支援事業者端末ユーザのログインＩＤと、伝言メッセージを、伝言データとしてデータセンタ３０に送信する。
【００７５】
なお、データセンタ３０は、伝言データを受信すると、これをデータベースに登録する。
Ｓ１４５では、居宅介護支援事業者端末用アプリは、操作部１５を介して受け付けた操作に応じてデータセンタ３０からログアウトし、本処理を終了する。
【００７６】
（３）自動仕分け処理について
次に、提供票データを、その送付先となる提供事業者毎に仕分けする自動仕分け処理について、図７のフローチャートを用いて説明する。なお、本処理は、提供票データ送信処理からコールされるサブルーチンとして構成されている。
【００７７】
Ｓ２００では、居宅介護支援事業者端末用アプリは、記憶部１２に記憶されている位置情報ファイルを参照し、居宅介護支援事業者端末１０にインストールされている介護アプリの種類を特定する。
【００７８】
この介護アプリの種類とは、居宅介護支援事業者端末用アプリを提供する前の段階で、居宅介護支援事業者端末ユーザ等からの申し出に応じて設定されたものであっても良いし、インストール時や初期設定時等に居宅介護支援事業者端末ユーザ等により設定されたものであっても良い。また、居宅介護支援事業者端末ユーザに介護アプリの種類を問い合わせ、該問い合わせに対する操作より介護アプリの種類を設定する構成としても良い。
【００７９】
そして、居宅介護支援事業者端末用アプリは、位置情報ファイルを参照し、特定した介護アプリの種類に対応するタイトル（サービス提供表、サービス提供表別表)、事業者番号，提供事業者名，提供年月，被保険者番号及び氏名等の各認識項目の記載位置を特定する。
【００８０】
Ｓ２０５では、居宅介護支援事業者端末用アプリは、提供票データが保存された仕分け対象フォルダにアクセスし、仕分けの対象となる提供票データを特定する。
詳しく説明すると、介護アプリの種類によって、サービス提供票とサービス提供票別表とが別のファイルとして生成される場合と、一つのファイルとして生成される場合がある。そして、これらが別のファイルとして生成された場合には、サービス提供票とサービス提供票別表とが別のＰＤＦファイルとして生成され、これらが一つのファイルとして生成された場合には、サービス提供票とサービス提供票別表とが一つのＰＤＦファイルとして生成される。
【００８１】
このため、居宅介護支援事業者端末用アプリは、仕分け対象フォルダに保存されているＰＤＦファイルの所定位置に、“サービス提供票”又は“サービス提供票別表”の文字が記載されているか否かを判定する。
【００８２】
そして、１ページ目における所定位置に“サービス提供票”と記載され、２ページ目以降の所定位置に“サービス提供票別表”と記載されたＰＤＦファイルを、サービス提供票とサービス提供票別表とが一体となったＰＤＦファイルとみなし、これを仕分けの対象となる提供票データとする。
【００８３】
また、居宅介護支援事業者端末用アプリは、１ページ目の所定位置に“サービス提供票”と記載されたＰＤＦファイルを、サービス提供票のＰＤＦファイルとみなすと共に、１ページ目の所定位置に“サービス提供票別表”と記載されたＰＤＦファイルを、サービス提供票別表のＰＤＦファイルとみなし、これらを仕分けの対象となる提供票データとする。
【００８４】
Ｓ２１０では、居宅介護支援事業者端末用アプリは、特定した記載位置に基づき、仕分けの対象となる提供票データから事業者番号等の各認識項目を認識し、Ｓ２１５に処理を移行する。
【００８５】
なお、サービス提供票とサービス提供票別表とが別のＰＤＦファイルとして生成されている場合には、上記各認識項目の認識結果に基づき、同一の提供年月における同一の介護サービスの利用者に対するサービス提供票及びサービス提供票別表のＰＤＦファイルの組み合わせを判別する。そして、各組み合わせをなすＰＤＦファイルを結合して一つのＰＤＦファイルを生成し、これを提供票データとする。
【００８６】
Ｓ２１５では、居宅介護支援事業者端末用アプリは、予め設けられている“仕分けフォルダ”の直下に、認識した事業者番号に対応する１つのフォルダを作成する。本実施形態では、一例として、作成したフォルダ名として認識された事業者番号が付される。
【００８７】
Ｓ２２０では、居宅介護支援事業者端末用アプリは、仕分けの対象となった提供票データに対し、上述した命名規則に従いファイル名のリネームを行う（図６（ｂ））。そして、リネームした提供票データを、そこから認識された事業者番号に対応するフォルダに保存し、本処理を終了する。
【００８８】
また、事業者番号等の各認識項目を認識できなかった提供票データについては、上述した命名規則に従いリネームを行う際、リネーム後のファイル名における認識できなかった認識項目に対応する箇所に“Ｘ”を設定する。そして、リネームした提供票データを、“仕分けフォルダ”の直下に設けられた“不明分”という名称のフォルダに保存する。
【００８９】
（４）仕分け結果の表示について
次に、提供票データ送信処理のＳ１１５にて表示される仕分け結果画面の内容や、仕分け結果の確認方法について詳しく説明する。
【００９０】
図８には、居宅介護支援事業者端末用アプリにより表示される仕分け結果画面３００が記載されている。仕分け結果画面３００には、仕分け結果欄３１０が設けられていると共に、その下方には、操作ボタン３２０〜３５０が表示されている。
【００９１】
仕分け結果欄３１０には、仕分け結果が“仕分けフォルダ”に保存されている提供票データの一覧が表示される。
仕分け結果欄３１０には、選択表示領域３１１，承認表示領域３１２，転送表示領域３１３，事業者番号等表示領域３１４，提供年月表示領域３１５，被保険者番号等表示領域３１６，表示ボタン表示領域３１７，削除ボタン表示領域３１８が設けられている。
【００９２】
事業者番号等表示領域３１４には、自動仕分け処理により認識された、各提供票データにより表示される提供票に記載されている事業者番号及び提供事業者名が表示される。
また、提供年月表示領域３１５には、自動仕分け処理により認識された、各提供票データにより表示される提供票に記載されている介護サービスの提供年月が表示される。
【００９３】
また、被保険者番号等表示領域３１６には、自動仕分け処理により認識された、各提供票データにより表示される提供票に記載されている介護サービスの利用者の被保険者番号及び氏名が表示される。
【００９４】
なお、事業者番号等の各認識項目の認証に失敗した提供票データについては、対応する表示領域に“Ｘ”が表示される。
また、表示ボタン表示領域３１７には、仕分けされた各提供票データに基づく提供票の表示を指示する表示ボタンが表示される。表示ボタンのクリック等をすることで、対応する提供票データが開かれ、仕分け結果欄３１０の内容と提供票データの内容を比較することで、認識結果が正しいかどうかを確認することができる。
【００９５】
なお、提供票データを開いた状態で、認識項目の内容の入力を受け付け、入力された内容を認識項目の認識結果とすることで、認識内容の修正を可能としても良い。
また、削除ボタン表示領域３１８には、仕分けされた各提供票データの削除を指示する削除ボタンが表示される。削除ボタンのクリック等をすることで、対応する提供票データが削除される。
【００９６】
また、転送表示領域３１３には、提供票データのアップロードが完了したか否かが表示される。アップロードが完了した提供票データについては、対応する転送表示領域３１３に“済”と表示され、アップロードが完了していない提供票データについては、対応する転送表示領域３１３に“未”と表示される。
【００９７】
また、承認表示領域３１２には、ユーザにより事業者番号等の認識結果についての承認がなされたか否かが表示される。承認がなされた提供票データについては、対応する承認表示領域３１２に“済”と表示され、承認されていない提供票データについては、対応する承認表示領域３１２に“未”と表示される。
【００９８】
また、選択表示領域３１１は、事業者番号等の認識結果の承認を行った提供票データを選択するための領域である。提供票データに対応する選択表示領域３１１の“□”に対しクリック等をすることで、チェックがなされた状態となり、チェックがなされた“□”に対し再度クリック等をすることで、チェックが解除される。
【００９９】
また、“選択された仕分け結果を承認”と表示された操作ボタン３２０は、事業者番号等の各認識項目の認識結果を承認するボタンである。操作ボタン３２０のクリック等を行うと、承認表示領域３１２にチェックがなされている提供票データについての認識結果が承認され、そのファイル名における“承認フラグ”に対応する箇所が、“０”から“１”に変更される。
【０１００】
また、“不明分の修正”と表示された操作ボタン３３０のクリック等を行うと、各提供票データについての各認識項目の入力画面が表示される。該入力画面を介して認識項目に対応する内容（例えば、正しい事業者番号等）を入力することで、入力された内容が該認識項目に対応する認識結果となる。
【０１０１】
また、“アップロード（ログイン）”と表示された操作ボタン３４０は、提供票データをデータセンタ３０にアップロードするためのボタンである。操作ボタン３４０のクリック等を行うと、ログイン画面が表示され、ログイン画面に居宅介護支援事業者端末ユーザの正しいログインＩＤ及びパスワードが入力されると、データセンタ３０へのログインに成功する。
【０１０２】
また、“仕分けフォルダを開く”と表示された操作ボタン３５０のクリック等を行うと、ファイル管理ツールが起動され、“仕分けフォルダ”の内容が表示される。
（５）アップロード等について
次に、提供票データ送信処理のＳ１３０〜Ｓ１４０において表示されるアップロード画面や、提供票データの送信方法や、伝言メッセージの書き込み方法について詳しく説明する。
【０１０３】
図９には、居宅介護支援事業者端末用アプリにより表示されるアップロード画面４００が記載されている。アップロード画面４００における向かって左側には、仕分け結果欄４１０が設けられていると共に、その下方には、転送実行ボタン４２０が表示されている。
【０１０４】
また、アップロード画面４００における向かって右側には、ログインしている居宅介護支援事業者端末ユーザと、該居宅介護支援事業者端末ユーザが過去に提供票データを送付した提供事業者との間の連絡ボックス４３０，４４０が表示されている。
【０１０５】
仕分け結果欄４１０には、自動仕分け処理により認識された事業者番号及び提供事業者名と、該提供事業者による介護サービスの提供年月とが表示されると共に、これらに対応付けて、これらが認識された提供票データから認識された介護サービスの利用者の被保険者番号及び氏名の一覧が表示される。
【０１０６】
さらに、仕分け結果欄４１０には、各提供票データについての仕分け結果の承認が完了したか否かと、データセンタ３０へのアップロードが完了したか否かが表示される。
具体的には、承認が完了した提供票データについては、該提供票データから認識された被保険者番号及び氏名の表示位置の右側に“承認済”と表示され、承認が完了していない提供票データについては、同じ位置に“承認未”と表示される。
【０１０７】
また、アップロードが完了した提供票データについては、該提供票データから認識された被保険者番号及び氏名の表示位置の右側に“転送済”と表示され、アップロードが完了していない提供票データについては、同じ位置に“転送未”と表示される。
【０１０８】
なお、仕分け結果欄４１０のアイコン４１１に対しクリック等を行うことで、仕分け結果欄４１０の表示領域４１３の表示内容が昇順／降順に並べ変えられる。これにより、他の事業者番号及び提供事業者名と、該提供事業者による介護サービスの提供年月が表示されると共に、これらが認識された提供票データから認識された介護サービスの利用者の被保険者番号及び氏名の一覧が表示される。
【０１０９】
また、仕分け結果欄４１０のアイコン４１２に対しクリック等を行うことで、事業者番号、提供年月、及び提供事業者名に対応して設けられている表示領域４１４，４１５の表示内容が昇順／降順に並べ変えられる。これにより、同一の事業者番号、提供年月、及び提供事業者名が認識された他の提供票データから認識された他の介護サービスの利用者の被保険者番号及び氏名の一覧が表示される。
【０１１０】
一方、アップロード画面４００の右側の上段に表示された連絡ボックス４３０における事業者番号等表示領域４３１には、該連絡ボックス４３０に対応する事業者番号及び提供事業者名と、ログインしている居宅介護支援事業者端末ユーザの肩書や氏名が表示される。
【０１１１】
事業者番号等表示領域４３１の下方には、連絡ボックス４３０に対応する提供事業者を送付先としてデータセンタ３０にアップロードされた提供票データの一覧を示すリスト４３２と、伝言メッセージ表示欄４３３が表示される。
【０１１２】
リスト４３２では、アップロードされた提供票データから認識された介護サービスの提供年月と、被保険者番号及び氏名とが対応付けられた状態で表示されると共に、連絡ボックス４３０に対応する提供事業者が該提供票データをダウンロードしたか否かが表示される。
【０１１３】
具体的には、ダウンロードされた提供票データは、該提供票データから認識された被保険者番号及び氏名の表示領域の右側に“受領済”と表示され、ダウンロードがなされていない提供票データは、同じ位置に“受領未”と表示される。
【０１１４】
なお、リスト４３２のアイコン４３２ｂに対しクリック等を行うと、アップロードされた提供票データから認識された他の提供年月が昇順／降順に並べ変えられると共に、該提供年月が認識された他の提供票データから認識された被保険者番号及び氏名が表示領域４３２ｃに表示される。
【０１１５】
また、リスト４３２のアイコン４３２ａに対しクリック等を行うと、表示領域４３２ｃの表示内容が昇順／降順に並べ変えられ、同一の提供年月が認識された他の提供票データから認識された被保険者番号及び氏名が表示領域４３２ｃに表示される。
【０１１６】
また、リスト４３２の下方には、伝言メッセージ表示欄４３３が設けられており、ここには、ログインしている居宅介護支援事業者端末ユーザと、連絡ボックス４３０に対応する提供事業者との間でやり取りされた伝言メッセージの表示領域４３３ａ〜４３３ｃが表示される。
【０１１７】
表示領域４３３ａ〜４３３ｃには、データセンタ３０に伝言メッセージがアップロードされた年月日時と、アップロードされた伝言メッセージとが表示される。
また、伝言メッセージは、先にアップロードされた伝言メッセージに対する返信メッセージとしてアップロードすることもでき、返信メッセージは、返信を行う伝言メッセージ表示領域の下方に隣接して表示される。
【０１１８】
また、伝言メッセージがアップロードされた年月日時は、原則として“送信日時”として表示されるが、返信メッセージとしてアップロードされた場合には、該年月日時は“返信日時”として表示される。
【０１１９】
また、伝言メッセージ表示欄４３３には、直近にアップロードされた所定数の伝言メッセージが表示され、図９では、一例として３つの伝言メッセージの表示領域４３３ａ〜４３３ｃが表示される。
【０１２０】
また、アップロード画面４００の右側の下段に表示された、他の提供事業者との間の連絡ボックス４４０においても、同様の事業者番号等表示領域４４１が表示される。
このため、連絡ボックス４４０に対しクリック等の操作を行うことで、該連絡ボックス４４０を拡大し、該連絡ボックス４４０内で事業者番号等表示領域，リスト，伝言メッセージを全て表示しても良い。また、これと同時に、連絡ボックス４３０を縮小し、連絡ボックス４３０にて事業者番号等表示領域４３１のみを表示しても良い。
【０１２１】
また、例えば、上段に位置する連絡ボックスの上方や、下段に位置する連絡ボックスの下方がクリックされた場合には、アップロード画面４００における右側部分（連絡ボックスの表示領域）を上下方向にスクロールし、他の提供事業者との間の連絡ボックスを表示しても良い。
【０１２２】
また、転送実行ボタン４２０に対しクリック等の操作がなされると、自動仕分け処理により仕分けがなされた提供票データのうち、データセンタ３０へのアップロードがなされておらず、且つ、仕分け結果の承認がなされたものが、データセンタ３０にアップロードされる。
【０１２３】
（６）アップロード処理について
次に、データセンタ３０が、居宅介護支援事業者端末１０からの提供票データ等のアップロードを受け付けるアップロード処理について、図１０のフローチャートを用いて説明する。なお、本処理は、居宅介護支援事業者端末１０を介してデータセンタ３０へのログイン処理が行われた際に開始される。
【０１２４】
Ｓ５００では、データセンタ用アプリは、インターネット４０を介してログイン処理がなされた居宅介護支援事業者端末１０（ログイン端末）から、居宅介護支援事業者端末ユーザのログインＩＤ及びパスワードを受信すると共に、これらに基づき認証処理を行う。そして、該認証処理に成功した場合には、ログイン成功とし（Ｓ５００：Ｙｅｓ）、Ｓ５０５に処理を移行すると共に、該認証処理に失敗した場合には、ログイン失敗とし（Ｓ５００：Ｎｏ）、本処理を終了する。
【０１２５】
Ｓ５０５では、データセンタ用アプリは、データベースにアクセスし、受信したログインＩＤを有する居宅介護支援事業者端末ユーザから受信した過去のアップロードデータを特定すると共に、アップロードデータに含まれる提供票データがダウンロードされたか否かを特定する。
【０１２６】
また、データセンタ用アプリは、該ログインＩＤと、特定したアップロードデータに含まれる事業者番号とを含む伝言データを特定する。
そして、特定結果に基づき、ログインＩＤに対応する居宅介護支援事業者端末ユーザと、特定されたアップロードデータに含まれる事業者番号に対応する提供事業者との間の連絡ボックスの表示データを生成し、該表示データをログイン端末に送信する。
【０１２７】
Ｓ５１０では、データセンタ用アプリは、ログイン端末からアップロードデータを受信すると共に、これをデータベースに登録する。
Ｓ５１５では、データセンタ用アプリは、電子メール，電話，ＦＡＸ等により、登録したアップロードデータに含まれる事業者番号が示す提供事業者（該提供票データの送付先である提供事業者）に対し、ログインユーザから提供票データのアップロードがなされた旨（換言すれば、該提供事業者が取得すべき提供票データが存在する旨）を通知する。
【０１２８】
Ｓ５２０では、データセンタ用アプリは、ログイン端末から伝言データを受信すると共に、これをデータベースに登録し、本処理を終了する。
（７）提供票データ受信処理について
次に、サービス提供事業者端末２０にてデータセンタ３０から提供票データのダウンロード等を行う提供票データ受信処理について、図１１のフローチャートを用いて説明する。なお、本処理は、サービス提供事業者端末２０を使用する提供事業者（サービス提供事業者端末ユーザ）からの指示に応じて開始される。
【０１２９】
Ｓ６００では、サービス提供事業者端末用アプリは、データセンタ３０と通信を行い、データセンタ３０へのログイン処理を行う。
具体的には、サービス提供事業者端末用アプリは、操作部２５を介してサービス提供事業者端末ユーザのログインＩＤ及びパスワードの入力を受け付け、これらをデータセンタ３０に送信する。そして、データセンタ３０にてこれらに基づきユーザ認証が行われ、ユーザ認証に成功するとログイン成功となる。
【０１３０】
Ｓ６０５では、サービス提供事業者端末用アプリは、Ｓ６００にてログイン成功となった場合には、Ｓ６１０に処理を移行し（Ｓ６０５：Ｙｅｓ）、Ｓ６００にてログイン失敗となった場合には（Ｓ６０５：Ｎｏ）、本処理を終了する。
【０１３１】
Ｓ６１０では、サービス提供事業者端末用アプリは、データセンタ３０から受信した表示データに基づき、後述するダウンロード画面を表示する。ダウンロード画面には、ダウンロードが完了していない提供票データの送付元である１又は複数の支援事業者と、ログインしているサービス提供事業者端末ユーザとの間の連絡ボックスが表示される。
【０１３２】
Ｓ６１５では、サービス提供事業者端末用アプリは、操作部１５を介して、サービス提供事業者端末ユーザから提供票データをダウンロードする操作を受け付ける。そして、該操作に応じて、ダウンロードする提供票データの事業者番号，提供事業者氏名，提供年月，被保険者番号及び氏名，送付元である居宅介護支援事業者端末ユーザのログインＩＤを有するダウンロード情報を、データセンタ３０に送信する。
【０１３３】
その後、サービス提供事業者端末用アプリは、データセンタ３０から、ダウンロード情報に対応する提供票データを受信する。
Ｓ６２０では、サービス提供事業者端末用アプリは、各連絡ボックスへの伝言メッセージの書き込みを受け付ける。
【０１３４】
具体的には、サービス提供事業者端末用アプリは、操作部１５を介して、連絡ボックス内に表示された後述する伝言メッセージ表示欄の選択（換言すれば、伝言メッセージの送信相手となる居宅介護支援事業者端末ユーザの選択）を受け付けると共に、選択された伝言メッセージ表示欄への伝言メッセージの入力を受け付ける。
【０１３５】
そして、送信相手のログインＩＤ，ログインしているサービス提供事業者端末ユーザの事業者番号，伝言メッセージを、伝言データとしてデータセンタ３０に送信する。
Ｓ６２５では、サービス提供事業者端末用アプリは、操作部２５を介して受け付けた操作に応じてデータセンタ３０からログアウトし、本処理を終了する。
【０１３６】
（８）ダウンロード等について
次に、提供票データ受信処理のＳ６１０〜Ｓ６２０において表示されるダウンロード画面や、提供票データの受信方法や、伝言メッセージの書き込み方法について詳しく説明する。
【０１３７】
図１２には、サービス提供事業者端末用アプリにより表示されるダウンロード画面７００が記載されている。ダウンロード画面７００には、ログインしているサービス提供事業者端末ユーザと、該サービス提供事業者端末ユーザを送付先とする、ダウンロードが完了していない提供票データの送付元である支援事業者との間の連絡ボックス７１０，７４０が表示される。
【０１３８】
連絡ボックス７１０，７４０には、支援事業者の識別番号（居宅支援事業者番号）及び名称が表示される支援事業者表示領域７１１，７４１が設けられている。また、連絡ボックスに対応する支援事業者に属する居宅介護支援事業者端末ユーザのログインＩＤと、ログインしているサービス提供事業者端末ユーザとに対応するユーザ欄７２０，７３０が設けられている。
【０１３９】
そして、ユーザ欄７２０には、ログインＩＤに対応して登録されている居宅介護支援事業者端末ユーザの肩書や氏名等を表示するユーザ情報表示欄７２３と、ログインしている居宅介護支援事業者端末ユーザを送付先として、該ログインＩＤに対応する居宅介護支援事業者端末ユーザからアップロードされた提供票データの一覧を示すリスト７２１と、伝言メッセージ表示欄７２２が表示される。
【０１４０】
リスト７２１では、介護サービスの提供年月と、該提供年月が認識された提供票データから認識された被保険者番号及び氏名とが対応付けられた状態で表示されると共に、ログインしている居宅介護支援事業者端末ユーザが各提供票データをダウンロードしたか否かが表示される。
【０１４１】
具体的には、“ダウンロード”と表示されたボタンに対するクリック等を行うことで、該ボタンの左側に表示された被保険者番号及び氏名が認識された提供票データが、ログインしている居宅介護支援事業者端末ユーザが使用している居宅介護支援事業者端末１０にダウンロードされる。
【０１４２】
そして、ダウンロードがなされた提供票データは、該提供票データから認識された被保険者番号及び氏名の表示位置の右側に“ダウンロード済”と表示され、ダウンロードがなされていない提供票データは、同じ場所に“未ダウンロード”と表示される。
【０１４３】
なお、リスト７２１のアイコン７２１ｂに対しクリック等を行うことで、他の介護サービスの提供年月が表示されると共に、該提供年月が認識された提供票データから認識された介護サービスの利用者の被保険者番号及び氏名の一覧が表示される。
【０１４４】
また、リスト７２１のアイコン７２１ａに対しクリック等を行うと、表示領域７２１ｃの表示内容が上下方向にスクロールされ、同一の提供年月が認識された他の提供票データから認識された被保険者番号及び氏名が表示領域７２１ｃに表示される。
【０１４５】
また、リスト７２１の下方には、伝言メッセージ表示欄７２２が設けられており、伝言メッセージ表示欄７２２には、ログインしているサービス提供事業者端末ユーザと、ユーザ欄７２０に対応する居宅介護支援事業者端末ユーザとの間の伝言メッセージ７２２ａ〜７２２ｃが表示される。
【０１４６】
なお、該伝言メッセージ表示欄７２２は、アップロード画面４００における伝言メッセージ表示欄４３３と同様に構成されているため、説明を省略する。
また、ユーザ欄７２０の下方に配されたユーザ欄７３０にも、ユーザ情報表示欄７３３は表示されるが、リスト７３１や伝言メッセージ表示欄７３２については枠が表示されるのみであり、内容までは表示されない。しかし、ユーザ欄７３０に対しクリック等の操作が行われると、ユーザ欄７３０が拡大され、これらの内容が表示されると共に、ユーザ欄７２０が縮小され、リスト７２１，伝言メッセージ表示欄７２２の枠のみが表示される構成としても良い。
【０１４７】
また、例えば、上段に位置するユーザ欄７２０の上方や、下段に位置するユーザ欄７３０の下方がクリックされた場合には、他の居宅介護支援事業者端末ユーザに対応するユーザ欄を表示しても良い。
【０１４８】
また、連絡ボックス７１０の下方に配された連絡ボックス７４０にも、支援事業者表示領域７４１は表示されるが、ユーザ欄は表示されない。しかし、連絡ボックス７４０に対しクリック等の操作が行われると、連絡ボックス７４０が拡大され、ユーザ欄が表示されると共に、連絡ボックス７１０が縮小され、ユーザ欄が表示されなくなる構成としても良い。
【０１４９】
また、例えば、上段に位置する連絡ボックス７１０の上方や、下段に位置する連絡ボックス７４０の下方がクリックされた場合には、他の支援事業者に対応する連絡ボックスを表示しても良い。
【０１５０】
（９）ダウンロード処理について
次に、データセンタ３０がサービス提供事業者端末２０に対して提供票データの送信等を行うダウンロード処理について、図１３のフローチャートを用いて説明する。なお、本処理は、サービス提供事業者端末２０を介してデータセンタ３０へのログイン処理がなされたが行われた際に開始される。
【０１５１】
Ｓ８００では、データセンタ用アプリは、ログイン処理がなされたサービス提供事業者端末２０（ログイン端末）から、サービス提供事業者端末ユーザのログインＩＤ及びパスワードを受信すると共に、これらに基づき認証処理を行う。そして、該認証処理に成功した場合には、ログイン成功とし（Ｓ８００：Ｙｅｓ）、Ｓ８０５に処理を移行すると共に、該認証処理に失敗した場合には、ログイン失敗とし（Ｓ８００：Ｎｏ）、本処理を終了する。
【０１５２】
Ｓ８０５では、データセンタ用アプリは、データベースにアクセスし、ログインＩＤに対応してデータベースに登録されているサービス提供事業者端末ユーザの事業者番号を特定する。そして、該事業者番号と、ダウンロードがなされていない提供票データを含むアップロードデータを特定すると共に、該アップロードデータに含まれる支援用端末ユーザのログインＩＤを、送付元の支援用端末ユーザのログインＩＤとする。また、データベースの登録内容に基づき、該支援用端末ユーザが属する支援事業者の居宅支援事業者番号及び名称を特定する。
【０１５３】
また、データセンタ用アプリは、ログインしているサービス提供事業者端末ユーザの事業者番号と、送付元の居宅介護支援事業者端末ユーザのログインＩＤとを含む伝言データを特定する。
【０１５４】
そして、特定結果に基づき、ログインしているサービス提供事業者端末ユーザと、特定されたアップロードデータの送付元である支援用端末ユーザが属する支援事業者との間の連絡ボックスの表示データを生成し、該表示データをログイン端末に送信する。
【０１５５】
Ｓ８１０では、データセンタ用アプリは、ログイン端末からダウンロード情報を受信すると、データベースにアクセスし、ダウンロード情報に対応する提供票データを読み出すと共に、ログイン端末に対し、該提供票データを送信する。
【０１５６】
Ｓ８１５では、データセンタ用アプリは、ログイン端末から伝言データを受信すると共に、これをデータベースに登録し、本処理を終了する。
［第２実施形態］
第２実施形態のデータ転送システム１は、第１実施形態のデータ転送システム１と同様の構成を有しているが、居宅介護支援事業者端末１０とデータセンタ３０にて行われる処理が一部異なっている。
【０１５７】
具体的には、第１実施形態では、居宅介護支援事業者端末１０にて提供票データの自動仕分け処理が行われるが、第２実施形態では、データセンタ３０にて自動仕分け処理が行われる。
【０１５８】
このため、第２実施形態のデータ転送システム１は、提供票データ送信処理とアップロード処理において第１実施形態と相違しているが、他の処理については第１実施形態と同様である。
【０１５９】
以下では、第２実施形態における提供票データ送信処理とアップロード処理とについて説明する。
（１）提供票データ送信処理について
居宅介護支援事業者端末１０にてデータセンタ３０への提供票データのアップロード等を行う提供票データ送信処理について、図１４のフローチャートを用いて説明する。なお、本処理は、居宅介護支援事業者端末１０を使用する居宅介護支援事業者端末ユーザの指示に応じて開始される。
【０１６０】
Ｓ９００〜Ｓ９１０は、第１実施形態の提供票データ送信処理におけるＳ１００，Ｓ１０５，Ｓ１２０と同様であるため、説明を省略する。
Ｓ９１５では、居宅介護支援事業者端末用アプリは、Ｓ９１０にてログイン成功となった場合には、Ｓ９２０に処理を移行し（Ｓ９１５：Ｙｅｓ）、Ｓ９１０にてログイン失敗となった場合には（Ｓ９１５：Ｎｏ）、本処理を終了する。
【０１６１】
Ｓ９２０では、居宅介護支援事業者端末用アプリは、データセンタ３０から受信した表示データに基づき、第１実施形態におけるアップロード画面を構成する連絡ボックスと同様の連絡ボックスを表示する。
【０１６２】
Ｓ９２５では、居宅介護支援事業者端末用アプリは、操作部１５を介して受け付けた操作に応じて、Ｓ９０５にて生成された提供票データと、ログインしている居宅介護支援事業者端末ユーザのログインＩＤとを有する仕分け前データを、データセンタ３０に送信する。
【０１６３】
なお、データセンタ３０は、仕分け前データを受信すると、該仕分け前データを、これに含まれる居宅介護支援事業者端末ユーザのログインＩＤに対応付けて保存する。
Ｓ９３０では、居宅介護支援事業者端末用アプリは、データセンタ３０から受信した表示データに基づき、第１実施形態と同様の仕分け結果画面を表示し、居宅介護支援事業者端末ユーザに仕分け結果が正しいかどうかの確認を行わせる。
【０１６４】
なお、この時、居宅介護支援事業者端末用アプリは、データセンタ３０と通信を行うことで、第１実施形態と同様にして、仕分けされた各提供票データに基づく提供票の表示や、各認識項目に対応する認識内容の入力等を行っても良い。
【０１６５】
そして、居宅介護支援事業者端末用アプリは、仕分け結果画面上で“アップロード”と表示されたボタンのクリック等がなされると、その旨をデータセンタ３０に送信すると共に、仕分け結果の承認がなされたものとみなし、Ｓ９３５に処理が移行される。
【０１６６】
Ｓ９３５では、居宅介護支援事業者端末用アプリは、第１実施形態の提供票データ送信処理におけるＳ１４０と同様にして、各提供事業者の連絡ボックスへの伝言メッセージの書き込みを受け付け、データセンタ３０に伝言データを送信する。
【０１６７】
データセンタ３０は、伝言データを受信すると、これをデータベースに登録する。
Ｓ９４０では、居宅介護支援事業者端末用アプリは、操作部１５を介して受け付けた操作に応じてデータセンタ３０からログアウトし、本処理を終了する。
【０１６８】
（２）アップロード処理について
次に、データセンタ３０が、居宅介護支援事業者端末１０から仕分け前データを受信すると共に、仕分け前データに含まれる提供票データの自動仕分け処理を行い、自動仕分けされた提供票データをデータベースに登録するアップロード処理について、図１５のフローチャートを用いて説明する。なお、本処理は、居宅介護支援事業者端末１０を介してデータセンタ３０へのログイン処理がなされたが行われた際に実行される。
【０１６９】
Ｓ１０００，Ｓ１００５は、第１実施形態のアップロード処理におけるＳ５００，Ｓ５０５と同様であるため、説明を省略する。
Ｓ１０１０では、データセンタ用アプリは、居宅介護支援事業者端末ユーザがログインしている居宅介護支援事業者端末１０から提供票データ等を有する仕分け前データを受信すると、仕分け前データを、該仕分け前データに含まれるログインＩＤに対応付けて保存する。
【０１７０】
Ｓ１０１５では、データセンタ用アプリは、保存した仕分け前データに含まれる提供票データに対し、第１実施形態と同様の自動仕分け処理を行う。
Ｓ１０２０では、データセンタ用アプリは、居宅介護支援事業者端末ユーザがログインしている居宅介護支援事業者端末１０に対し、自動仕分け処理による仕分け結果を示す仕分け結果画面を表示する表示データを送信し、居宅介護支援事業者端末ユーザに仕分け結果が正しいかどうかの確認を行わせる。
【０１７１】
なお、この時、データセンタ用アプリは、居宅介護支援事業者端末ユーザがログインしている居宅介護支援事業者端末１０からの指示に応じて、仕分けされた各提供票データに基づく提供票の表示データを該居宅介護支援事業者端末１０に送信しても良い。また、該指示に応じて、各認識項目に対応する認識内容の修正等を行っても良い。
【０１７２】
そして、データセンタ用アプリは、居宅介護支援事業者端末１０から、該居宅介護支援事業者端末１０に表示された仕分け結果画面上で“アップロード”と表示されたボタンのクリック等がなされた旨の通知を受信すると、仕分け結果の承認がなされたものとみなし、Ｓ１０２５に処理が移行される。
【０１７３】
Ｓ１０２５では、データセンタ用アプリは、自動仕分けがなされた提供票データと、自動仕分け処理により該提供票データから認識された事業者番号，提供事業者氏名，提要年月，被保険者番号及び氏名と、居宅介護支援事業者端末ユーザのログインＩＤ等をアップロードデータとし、データベースに登録する。
【０１７４】
Ｓ１０３０，Ｓ１０３５は、第１実施形態のアップロード処理におけるＳ５１５，Ｓ５２０と同様であるため、説明を省略する。
［効果］
第１，第２実施形態のデータ転送システム１によれば、送付先となる提供事業者毎に提供票等を仕分けする作業や、郵送やＦＡＸにより提供事業者に提供票等を送付する作業が不要となる。
【０１７５】
また、提供票データから送付先となる提供事業者の事業者番号が認識され、該事業者番号に基づき送付先となる提供事業者が決定されるため、支援事業者にて提供票等の送付先を設定する作業が不要となる。
【０１７６】
したがって、ケアマネージャ等の作業負担を低減すると共に、ケアマネージャ等から提供事業者に書面を送付する際の誤送信を防ぐことができる。
［他の実施形態］
（１）第１，第２実施形態のデータ転送システム１は、支援事業者から提供事業者への提供票データの送付に用いられるが、これに限らず、介護サービスに関する他のデータの送付に用いられても良い（無論、介護サービス以外に関するデータの送付に用いられても良い）。また、提供事業者から支援事業者へのデータの送付に用いられても良い。
【０１７７】
（２）また、第１，第２実施形態では、提供票データはＰＤＦファイルとして構成されているが、これに限らず、例えばＪＰＥＧ等の形式の画像データとして構成されていても良い。このような場合であっても、同様の効果を得ることができる。
【０１７８】
［特許請求の範囲との対応］
上記実施形態の説明で用いた用語と、特許請求の範囲の記載に用いた用語との対応を示す。
【０１７９】
データセンタ３０がサーバの一例に、居宅介護支援事業者端末１０の記憶部１２が居宅介護支援事業者側記憶手段の一例に相当する。
また、提供票等が提供書面の一例に相当し、提供票データが提供書面データの一例に相当する。
【０１８０】
また、第１実施形態において、提供票データ送信処理のＳ１３０が居宅介護支援事業者側報知手段の一例に、Ｓ１３５が居宅介護支援事業者側送信手段の一例に、Ｓ１４０が居宅介護支援事業者側送信手段，居宅介護支援事業者側受付手段の一例に相当する。
【０１８１】
また、自動仕分け処理のＳ２００が居宅介護支援事業者側判別手段の一例に、Ｓ２１０が居宅介護支援事業者側認識手段の一例に、Ｓ２２０が居宅介護支援事業者側生成手段の一例に相当する。
【０１８２】
また、アップロード処理のＳ５０５がサーバ側送信手段の一例に、Ｓ５１０がサーバ側記憶手段の一例に、Ｓ５１５がサーバ側通知手段の一例に、Ｓ５２０がサーバ側記憶手段の一例に相当する。
【０１８３】
また、提供票データ受信処理のＳ６１０がサービス提供事業者側報知手段の一例に、Ｓ６１５が介護者側受信手段の一例に、Ｓ６２０がサービス提供事業者側受付手段，サービス提供事業者側送信手段の一例に相当する。
【０１８４】
また、ダウンロード処理のＳ８０５，Ｓ８１０がサーバ側送信手段の一例に、Ｓ８１５がサーバ側記憶手段の一例に相当する。
また、第２実施形態において、提供票データ送信処理のＳ９２５が居宅介護支援事業者側送信手段の一例に相当する。
【０１８５】
また、アップロード処理のＳ１０２５がサーバ側記憶手段の一例に、Ｓ１０３０がサーバ側通知手段の一例に相当する。
また、自動仕分け処理のＳ２１０がサーバ側認識手段の一例に相当する。
【０１８６】
また、提供票データ送信処理のＳ６１５が介護者側受信手段の一例に相当する。
また、ダウンロード処理のＳ８１０がサーバ側送信手段の一例に相当する。
【符号の説明】
【０１８７】
１…データ転送システム、１０…居宅介護支援事業者端末、１１…通信部、１２…記憶部、１３…制御部、１４…表示部、１５…操作部、１６…記憶媒体、２０…サービス提供事業者端末、２１…通信部、２２…記憶部、２３…制御部、２４…表示部、２５…操作部、２６…記憶媒体、３０…データセンタ、３１…通信部、３２…記憶部、３３…制御部、３４…表示部、３５…操作部、３６…記憶媒体、４０…インターネット。
【図１】
2015130108.tif 000003
【図２】
2015130108.tif 000004
【図３】
2015130108.tif 000005
【図４】
2015130108.tif 000006
【図５】
2015130108.tif 000007
【図６】
2015130108.tif 000008
【図７】
2015130108.tif 000009
【図８】
2015130108.tif 000010
【図９】
2015130108.tif 000011
【図１０】
2015130108.tif 000012
【図１１】
2015130108.tif 000013
【図１２】
2015130108.tif 000014
【図１３】
2015130108.tif 000015
【図１４】
2015130108.tif 000016
【図１５】
2015130108.tif 000017